(57)【要約】【課題】  操作者が手を離すことなく、回転、スライド方向、押圧の一連の操作が行え、中空の構造とすることでその部分に押圧操作可能な操作釦及び照明を追加できる複合操作入力装置１を提供すること。【解決手段】  連動用スプリング１０による上方への付勢、及びスライダ１４内周との所定の範囲で上下動する係合構造と、外ノブホルダ１３の下降を検知するプッシュスイッチｂ５と、外ノブホルダ１３を横方向にスライド自在にするロータリエンコーダ２及びエンコーダリング６上端との上下分割による摺動可能な構造と、外ノブホルダ１３のスライド方向を検知するプッシュスイッチ３と、外ノブホルダ１３を回転自在にするロータリエンコーダ２及びエンコーダリング６上端との上下分割による摺動可能な構造、及び外ノブホルダ１３外周とスライダ１４内周との摺動可能な構造と、外ノブホルダ１３の回転を検知するロータリエンコーダ２とを備えた。【選択図】        図３
2005317377.tif 000002
【特許請求の範囲】
【請求項１】
操作が伝達される駆動体を上下動自在にする上下動機構と、
前記駆動体の下降を検知する押しスイッチと、
前記駆動体を横方向にスライド自在にするスライド機構と、
前記駆動体のスライド方向を検知する方向検知スイッチと、
前記駆動体を回転自在にする回転機構と、
前記駆動体の回転を検知する回転スイッチと、
を備えたことを特徴とする複合操作入力装置。
【請求項２】
請求項１に記載された複合操作入力装置において、
前記上下動機構は、
前記押しスイッチに係合する押し部材を前記駆動体と別体で設け、
駆動体が押下すると前記押し部材と当接して押しスイッチをONにし、
駆動体のスライドと回転動作の際には、押し部材を移動させない構造にした、
ことを特徴とする複合操作入力装置。
【請求項３】
請求項１又は請求項２に記載された複合操作入力装置において、
前記スライド機構は、
前記駆動体の側方の一部の外周を内周に回転自在でかつ下降自在に当接させる空間を有するスライダを前記駆動体と別体で設け、
駆動体を横方向にスライドさせると一体となってスライダが移動し、
駆動体を回転又は下降させる際には、摺動してスライダが移動しない構造にした、
ことを特徴とする複合操作入力装置。
【請求項４】
請求項１〜請求項３に記載された複合操作入力装置において、
前記回転機構は、
前記駆動体と前記回転スイッチとの間に、
駆動体の回転が、弾性体を介して回転スイッチに伝達されるようにし、駆動体の下降とスライドを弾性体の伸縮で吸収して回転スイッチを作動させない、
弾性体を設けた、
ことを特徴とする複合操作入力装置。
【請求項５】
請求項３に記載された複合操作入力装置において、
前記スライド機構は、
前記スライダの上下の移動を制限する制限機構を設け、
前記スライダの外周下端に環状の傾斜面を設け、
前記方向検知スイッチは、
前記スライダの外周側４方向に押しスイッチを設け、
上下の移動を制限されたスライダの傾斜面が乗り上げることで、４方向のいずれか１つもしくは２つがONとなる、
ことを特徴とする複合操作入力装置。
【請求項６】
請求項１〜請求項５に記載された複合操作入力装置において、
前記駆動体を中空構造にし、その内穴内部に上下動する上下移動体を設け、
同上下移動体の下降でONとなる第２の押しスイッチを設け、
前記上下動移動体は、
外周に張り出した部分を下から前記駆動体に当てるように設け、
上下動移動体のみに操作による下降が伝達される際には、上下動移動体のみが下降して第２の押しスイッチのみがONとなり、
前記駆動体に操作による下降が伝達される際には、押しスイッチ及び第２の押しスイッチが共にONとなることで２種類の入力を検知する、
ことを特徴とする複合操作入力装置。
【発明の詳細な説明】
【技術分野】
【０００１】
本発明は、方向入力や押す操作を1つの装置への入力で行うようにする複合操作入力装置の技術分野に属する。
【背景技術】
【０００２】
従来においては、ロータリエンコーダの回転操作軸に対して傾倒可能かつ一体的に回転可能な係合状態で外嵌された駆動体を備え、傾倒させた駆動体のフランジ部でプッシュスイッチを押圧駆動するようにしている（例えば、特許文献１参照。）。
【特許文献１】特開２００２−１５０８９２号公報（第２−５頁、全図）
【発明の開示】
【発明が解決しようとする課題】
【０００３】
しかしながら、従来の複合操作入力装置にあっては、回転検出部品とプッシュスイッチとを共通の操作部材で操作可能としているが、構成を成り立たせる為にはクリアランスを多数設ける必要があり、それがそのまま組合せ部品のガタツキとなっている。また、中空のエンコーダを使用することでエンコーダ内側に別種の押しボタンスイッチを設けることができるが回転、押圧傾倒の操作用ノブとは造形的に一体化できず全く別種の操作系となってしまう。
【０００４】
本発明は、上記問題点に着目してなされたもので、その目的とするところは、操作者が手を離すことなく、回転、スライド方向、押圧の一連の操作が行え、中空の構造とすることでその部分に押圧操作可能な操作釦及び照明を追加できる複合操作入力装置を提供することにある。
【課題を解決するための手段】
【０００５】
上記目的を達成するため、本発明では、操作が伝達される駆動体を上下動自在にする上下動機構と、前記駆動体の下降を検知する押しスイッチと、前記駆動体を横方向にスライド自在にするスライド機構と、前記駆動体のスライド方向を検知する方向検知スイッチと、前記駆動体を回転自在にする回転機構と、前記駆動体の回転を検知する回転スイッチとを備えたことを特徴とする。
【発明の効果】
【０００６】
よって、本発明にあっては、備えられたノブを動かすことにより操作者は手を離すことなく、回転、スライド方向、押圧の一連の操作が行うことができる。
【発明を実施するための最良の形態】
【０００７】
以下、本発明の複合操作入力装置を実現する実施の形態を、請求項１〜６に係る発明に対応する実施例１に基づいて説明する。
【実施例１】
【０００８】
まず、構成を説明する。
図１は、実施例１の複合操作入力装置の斜視図である。図２は実施例１の複合操作入力装置の一部部品を省略した斜視図である。図３は実施例１の複合操作入力装置の分解斜視図である。図４は実施例１の複合操作入力装置の一部部品を省略した平面図である。図５は図４のＡ−Ａ断面図である。図６は実施例１の複合操作入力装置のスライド時の一部部品を省略した断面図である。図７は実施例１の複合操作入力装置の外側ノブ押し状態の一部部品を省略した断面図である。図８は実施例１の複合操作入力装置の内側ノブ押し状態の一部部品を省略した断面図である。
【０００９】
図１〜図５を参照して、構造を説明する。本実施例１の複合操作入力装置１は、図を省略するが基板もしくは基板に相当する部品上に設けられるものである。以下の説明では、基板上にあるものとする。
まず、環状な中空であるロータリエンコーダ２を基板上に設ける。ロータリエンコーダ２は、回転自在な筒形状である一部が上方に突出し、この部材の回転により回転角度を予め設定されている角度分解能で検知する。
ロータリエンコーダ２の外周側で、約９０度毎となる４方向の基板上に押圧を検知するプッシュスイッチ３を設ける。
また、ロータリエンコーダ２の中空空間、つまり内側には、プッシュスイッチａ４とプッシュスイッチｂ５を設ける。
また、ロータリエンコーダ２の回転自在部分の内周の３箇所には、コイルスプリングを取り付ける突起を有するスプリングホルダ２ａを設ける。
【００１０】
さらに、ロータリエンコーダ２の回転自在部分の外周には、この部分の形状に内外径を合わせた筒形状であり、この部分に固定し一体となって回転自在となるエンコーダリング６を設ける。
【００１１】
次に、エンコーダリング６の下端の外周から、基板までのロータリエンコーダ２２の外周を覆うスライダホルダロアー７７を、基板もしくはロータリエンコーダ２に固定するように設ける。スライダホルダロアー７は、断面をＬ形状とする環状部材である。
次に、ロータリエンコーダ２の内側にセンタプッシュピン８を設ける。センタプッシュピン８は、ロータリエンコーダ２の内周に沿う湾曲した部分と湾曲した両端を接続する部分を有するもので、プッシュスイッチｂ５の一部の上に載せるように設置する。センタプッシュピン８は、上下の高さを、プッシュスイッチｂ５上の下端を載せた際に、上端が、ロータリエンコーダ２の突出した部分の上端及びエンコーダリング６の上端となる高さにする。さらに、センタプッシュピン８の上端の両側には、切り欠き部分を設けて、上方への移動をスプリングホルダ２ａにより規制し、下方へは移動可能にする。
【００１２】
また、ロータリエンコーダ２の内側には、ノブプッシュピン９を設ける。ノブプッシュピン９は、ロータリエンコーダ２の内側に沿って湾曲した部分を２つ設ける。この湾曲部分は、上下の高さがプッシュスイッチａ４上に下端を載せた際に、上端が、ロータリエンコーダ２の突出した部分の上端及びエンコーダリング６の上端となる高さ、つまりセンタプッシュピン８と同じ高さにする。また、２つの湾曲部分には、それぞれ切り欠き部分を設け、上方への移動をスプリングホルダ２ａにより規制し、下方へは移動可能にする。２つの湾曲部分は近い端部分同士を接続する。接続部分の上端は、内ノブホルダ１２の下降の際に当接しない湾曲部分上端より下方位置とする。
ノブプッシュピン９は、湾曲部分を接続している部分をプッシュスイッチａ４の上に載せて設置する。
【００１３】
次に、ロータリエンコーダ２の上方に突出した回転自在部分とエンコーダリング６の上端の上に、この部分とほぼ同径のコイル状である連動用スプリング１０を、下端をエンコーダリング６上端に固定して配置する。
次に、ロータリエンコーダ２の上方に突出した部分の内側で、上下動可能な外径の筒形状である内ノブホルダ１２を設ける。内ノブホルダ１２の下端には、下方に突出した突起部分を３箇所に設けて、内径がこの突起部分に係合する接続スプリング１１を、突起部分を挿入するように係合させ、接続スプリング１１の下端部分をスプリングホルダ２ａの突起部分に係合させて、内ノブホルダ１２を上方に向かって付勢する。
また、内ノブホルダ１２の下端は、センタプッシュピン８と上下で重なる内外径とし、ノブプッシュピン９とは重ならない。
また、内ノブホルダ１２の外周下端には、外周方向に張り出した鍔形状部分を設ける。
【００１４】
次に、円板の中央に内穴を有し、内穴より筒状に下方へ伸びる内筒部分を有し、円板の外周から筒状に下方へ伸びる外筒部分を有し、外筒部分の下端から外周に張り出した鍔形状部分を有する外ノブホルダ１３を設ける。外ノブホルダ１３の外筒部分の内径は、エンコーダリング６の外径より隙間を有する外径とし、外ノブホルダ１３の外筒部分の下端はスライドホルダロアーより隙間を有する寸法形状とする。
【００１５】
外ノブホルダ１３の内筒部分の下端は、ノブプッシュピン９の上端に当接する寸法形状にし、さらに一部が内ノブホルダ１２の鍔状の部分を下方に押し下げ可能に係合させる。連動用スプリング１０は、外ノブホルダ１３の円板部分の下面に固定する。
外ノブホルダ１３の下側の外周側には、スライダ１４を設ける。スライダ１４は径の異なる２段の筒部分を接続した形状であり、小径な筒部分は外ノブホルダ１３の筒部分外周の挿入又は圧入する内穴径で、大径な筒部分は外ノブホルダ１３の鍔状部分の外周を挿入又は圧入できる内穴径である。大径な筒部分の下端には、外周方向に張り出した鍔部分を設け、この鍔部分は外周側に行くに従って下端が斜め上方に傾斜する形状となる。さらに、スライダ１４の大径な筒部分の内周には、内側に向かって張り出した鍔形状部分を設ける。スライダ１４は、小径な筒部分と大径な筒部分の接続部分を外ノブホルダ１３の鍔状部分と係合させて外ノブホルダ１３に取りつける。
【００１６】
スライドホルダロアーの上面内側端には、この内側端から上方に伸び、そこから外周側に張り出す、断面がＬ字状のスライダホルダアッパー１５を設け、スライダホルダロアー７とスライダホルダアッパー１５の上下の間にスライダ１４の内周側に張り出す鍔状部分が位置し、鍔状部分の内径とスライダホルダアッパー１５の筒状部分の外形の隙間をスライダ１４の横方向の移動可能分にする。
次に、内ノブホルダ１２と径を同じくする部分とその上部に径を大きくした部分を有するプッシュノブ１６を設ける。プッシュノブ１６の径を大きくした部分の上面には、「PUSH」等の透過照明意匠を施す。また、プッシュノブ１６の径を大きくした部分の外周面には、外周方向に向かって張り出した部分を設ける。
プッシュノブ１６は、径の小さい部分の下端を内ノブホルダ１２上端に取りつける。
【００１７】
次に、内穴を有する上面と側面となる筒部分を有する断面形状がＬ字状のノブ１７を設ける。ノブ１７の内穴は、プッシュノブ１６の上面が露出できる径とし、筒部分は外周がスライダ１４の大径な筒部分の外周と同等の径である図１の状態になる寸法形状にする。なお、プッシュノブ１６およびノブ１７は、意匠部品であり、外見は自由に変えることができる。
【００１８】
以上の構成により、図１に示す複合操作入力装置１となる。接続スプリング１１及び連動スプリングは、それぞれ圧縮方向に付勢された状態で取り付けられる。以下、説明上、図２に示すようにノブ１７、プッシュノブ１６を省略した状態で作用を説明する。
［複数種類の操作を一体機構で行う作用］
(a)静止状態（非操作状態）
静止状態では、連動用スプリング１０により外ノブホルダ１３が上方へ付勢される。外ノブホルダ１３は、外周下側に位置する鍔状部分でスライダ１４に係合し、スライダ１４は、内側に張り出した鍔状部分がスライダホルダアッパー１５に係合し上下方向の移動を制限するため、外ノブホルダ１３、スライダ１４ともに図５に示す静止状態となる。
【００１９】
また、接続スプリング１１により内ノブホルダ１２が上方に付勢されるが、外周下側の鍔形状部分により外ノブホルダ１３内穴周縁と係合して下方に移動可能な位置を保持する。
【００２０】
(b)回転操作
操作者は、ノブ１７及びスライダ１４を介して外ノブホルダ１３を回転させる。
すると、外ノブホルダ１３は接触している内ノブホルダ１２、ノブプッシュピン９、スライダ１４に対して抵抗なく回転する。外ノブホルダ１３の回転は、連動用スプリング１０を締める又は緩める動きをし、エンコーダリング６に回転力が伝達される。エンコーダリング６が回転すると、ロータリエンコーダ２の上方に突出した回転検知部分が一体的に回転して、回転操作がロータリエンコーダ２に検知される。
この際には、スライダ１４は、内周部で外ノブホルダ１３が回転しているだけなので、プッシュスイッチ３を押下することはない。
【００２１】
(c)外側ノブ押し操作
操作者は、外装部品であるノブ１７を介して外ノブホルダ１３を押下する。すると、外ノブホルダ１３が連動用スプリング１０を圧縮しながら下降する。外ノブホルダ１３の内側の筒部分は、下降するとノブプッシュピン９を押下する。ノブプッシュピン９は、下降するとプッシュスイッチａ４を押し、プッシュスイッチａ４がONとなる。
さらに、外ノブホルダ１３の内側の筒部分の下端は、内ノブホルダ１２の下側外周側の鍔形状部分を下方に押下するため、内ノブホルダ１２が下降する。内ノブホルダ１２が下降するとセンタプッシュピン８を押下し、センタプッシュピン８は下降してプッシュスイッチｂ５をONにする。つまり、プッシュスイッチａ４とプッシュスイッチｂ５がともにONとなることを検知することにより、外側ノブ押し操作が検知される。
この操作には、回転操作がないため、ロータリエンコーダ２が回転を検知することはない。
操作後は、連動用スプリング１０により静止状態に復帰する。
【００２２】
(d)内側ノブ押し操作
操作者は、外装部品であるプッシュノブ１６を介して内ノブホルダ１２を押下する。すると、内ノブホルダ１２は、外ノブホルダ１３に対して摺動し、外ノブホルダ１３を移動させずに接続スプリング１１を圧縮させながら下降する。
内ノブホルダ１２が下降するとセンタプッシュピン８を押下し、センタプッシュピン８は下降してプッシュスイッチｂ５をONにする。
つまり、プッシュスイッチａ４がOFFで、プッシュスイッチｂ５がONになることを検知することにより、内側ノブ押しが検知される。
この操作には、回転操作がないため、ロータリエンコーダ２が回転を検知することはない。
操作後は、接続用スプリングにより静止状態に復帰する。
【００２３】
(e)スライド操作
ノブ１７を介して外ノブホルダ１３がスライドされると、外ノブホルダ１３の鍔状部分の外周により、スライダ１４がその方向に移動させられる。すると、スライダ１４の下部外周に設けた斜面がプッシュスイッチ３に乗り上げる。しかし、スライダ１４は、スライダホルダアッパー１５により上方向への移動を制限されているため、スライド方向に応じたプッシュスイッチ３が１個又は２個、押下されてONとなる。
これにより、１個のONで４方向、２個のONでその間の４方向の計８方向が検知できる。
【００２４】
このスライドの際、外ノブホルダ１３の移動に伴って、内ノブホルダ１２は、センタプッシュピン８、ロータリエンコーダ２の回転自在部分上端、エンコーダリング６上端上を摺動するようにスライドし、スプリングホルダ２ａに下端を固定した接続スプリング１１が斜めに伸ばされる。また、エンコーダリング６に下端を固定した連動用スプリング１０が斜めに伸ばされる。エンコーダリング６は、ロータリエンコーダ２の回転自在部分に固定されているが、ロータリエンコーダ２は基板に固定しており、横方向には、移動しない。
よって、操作後は、接続スプリング１１と連動用スプリング１０の復元力により移動した各部品は、静止状態に復帰する。
【００２５】
以上、(a)〜(e)に説明したように、実施例の複合操作入力装置１は、回転入力、スライドによる方向入力、２つの押し入力が一体的に行える。
【００２６】
［操作フィーリングを向上させる作用］
この複合操作入力装置１を操作する際に、例えば、人差し指から小指までの４指の根元部分と掌の一部をノブ１７の端の軽く載せ、親指でノブ１７外周又はスライダ１４外周を触る状態にする。
この状態から、４指と掌の一部をノブ１７から軽く浮かせ、親指の腹でノブ１７又はスライダ１４をなぞるように回転させれば回転入力が行える。また、４指と掌、あるいは５指と掌などで、ノブ１７をスライドさせれば方向入力が行える。さらに、４指と掌、あるいは５指と掌などで、ノブ１７を押下すれば押す入力が行え、さらに４指のうちいずれかを曲げるようにしてプッシュノブ１６を押下すれば異なる２番目の押す操作が行える。
このように、手を複合操作入力装置１のノブ１７から大きく離すことなく、ノブ１７で３種類（回転、方向、押し）、プッシュノブ１６で押す入力が行えることは、非常に操作フィーリングを向上させるものである。
【００２７】
［照明に対する有利な作用］
実施例１の複合操作入力装置１では、ロータリエンコーダ２の内側の基板上において、プッシュスイッチａ４とプッシュスイッチｂ５以外の基板部分にはLED等の照明手段を設けることができる。これは、実施例１の一体的な構造が有する特徴であり、この照明によって、例えば、プッシュノブ１６を複数色に発光表示させることも可能である。
【００２８】
次に、効果を説明する。
実施例１の複合操作入力装置１にあっては、下記に列挙する効果を得ることができる。
【００２９】
(1)操作が伝達される外ノブホルダ１３を上下動自在にする連動用スプリング１０による上方への付勢、及びスライダ１４内周との所定の範囲で上下動する係合構造と、外ノブホルダ１３の下降を検知するプッシュスイッチｂ５と、外ノブホルダ１３を横方向にスライド自在にするロータリエンコーダ２及びエンコーダリング６上端との上下分割による摺動可能な構造と、外ノブホルダ１３のスライド方向を検知するプッシュスイッチ３と、外ノブホルダ１３を回転自在にするロータリエンコーダ２及びエンコーダリング６上端との上下分割による摺動可能な構造、及び外ノブホルダ１３外周とスライダ１４内周との摺動可能な構造と、外ノブホルダ１３の回転を検知するロータリエンコーダ２とを備えたため、備えられたノブを動かすことにより操作者は手を離すことなく、回転、スライド方向、押圧の一連の操作が行うことができる。また、このことは、スイッチの操作フィーリングを向上させるものである。
【００３０】
(2)上下動機構は、プッシュスイッチｂ５に係合するノブプッシュピン９を外ノブホルダ１３と別体で設け、外ノブホルダ１３が押下するとノブプッシュピン９と当接してプッシュスイッチｂ５をONにし、外ノブホルダ１３のスライドと回転動作の際には、ノブプッシュピン９を移動させない構造にしたため、コストを抑制した一体的な構造で、スライド自在、回転自在な上下動機構にできる。
【００３１】
(3)スライド機構は、外ノブホルダ１３の側方の一部の外周を内周に回転自在でかつ下降自在に当接させる空間を有するスライダ１４を外ノブホルダ１３と別体で設け、外ノブホルダ１３を横方向にスライドさせると一体となってスライダ１４が移動し、外ノブホルダ１３を回転又は下降させる際には、摺動してスライダ１４が移動しない構造にしたため、コストを抑制した一体的な構造で、上下動自在、回転自在なスライド機構にできる。
【００３２】
(4)回転機構は、外ノブホルダ１３とロータリエンコーダ２との間に、外ノブホルダ１３の回転が、コイルスプリングを介してロータリエンコーダ２に伝達されるようにし、外ノブホルダ１３の下降とスライドをコイルスプリングの伸縮で吸収してロータリエンコーダ２を作動させないコイルスプリングを設けたため、コストを抑制した一体的な構造で、上下動自在、スライド自在な回転機構にできる。
【００３３】
(5)スライド機構は、スライダ１４の上下の移動をスライダホルダアッパー１５とスライダホルダロアー７で制限し、スライダ１４の外周下端に環状の傾斜面を設け、方向検知スイッチは、スライダ１４の外周側４方向にプッシュスイッチ３を設け、上下の移動を制限されたスライダ１４の傾斜面が乗り上げることで、４方向のいずれか１つもしくは２つがONとなるため、コストを抑制しスライドの動きにより８方向の検知を行うことができる。
この点、例えば、ジョイスティックスイッチを使用するよりも、スイッチのコストを低減させることができる。
【００３４】
(6)外ノブホルダ１３を中空構造にし、その内穴内部に上下動する内ノブホルダ１２を設け、内ノブホルダ１２の下降でONとなるプッシュスイッチａ４を設け、内ノブホルダ１２は、外周に張り出した部分を下から外ノブホルダ１３に当てるように設け、内ノブホルダ１２のみに操作による下降が伝達される際には、内ノブホルダ１２のみが下降してプッシュスイッチａ４のみがONとなり、外ノブホルダ１３に操作による下降が伝達される際には、プッシュスイッチａ４及びプッシュスイッチｂ５が共にONとなることで２種類の入力を検知するため、さらに、操作を増やすことができるとともに、中空空間を利用して照明等ができる。
また、この内ノブホルダ１２もしくは外装したプッシュノブ１６に図１に示すように意匠を施しても、回転入力、２種類の押し操作、スライド操作によっても内ノブホルダ１２が回転することはないので、意匠の向きを一定に保つことができる。
【００３５】
以上、本発明の複合操作入力装置１を実施例１に基づき説明してきたが、具体的な構成については、これらの実施例に限られるものではなく、特許請求の範囲の各請求項に係る発明の要旨を逸脱しない限り、設計の変更や追加等は許容される。
実施例１では、弾性体としてコイルスプリングを用いているが、回転力を伝達でき、上下動やスライドを伸縮で吸収できるものであれば、他の構成によるものであってもよい。
また、実施例１では、ノブとプッシュノブを外ノブホルダ、内ノブホルダに外装しているが、直接、外ノブホルダ、内ノブホルダがノブとプッシュノブを兼ねる構造にしてもよい。
【図面の簡単な説明】
【００３６】
【図１】実施例１の複合操作入力装置の斜視図である。
【図２】実施例１の複合操作入力装置の一部部品を省略した斜視図である。
【図３】実施例１の複合操作入力装置の分解斜視図である。
【図４】実施例１の複合操作入力装置の一部部品を省略した平面図である。
【図５】図４のＡ−Ａ断面図である。
【図６】実施例１の複合操作入力装置のスライド時の一部部品を省略した断面図である。
【図７】実施例１の複合操作入力装置の外側ノブ押し状態の一部部品を省略した断面図である。
【図８】実施例１の複合操作入力装置の内側ノブ押し状態の一部部品を省略した断面図である。
【符号の説明】
【００３７】
１  複合操作入力装置
２  ロータリエンコーダ
２ａ  スプリングホルダ
３  プッシュスイッチ
４  プッシュスイッチａ
５  プッシュスイッチｂ
６  エンコーダリング
７  スライダホルダロアー
８  センタプッシュピン
９  ノブプッシュピン
１０  連動用スプリング
１１  接続スプリング
１２  内ノブホルダ
１３  外ノブホルダ
１４  スライダ
１５  スライダホルダアッパー
１６  プッシュノブ
１７  ノブ
【図１】
2005317377.tif 000003
【図２】
2005317377.tif 000004
【図３】
2005317377.tif 000005
【図４】
2005317377.tif 000006
【図５】
2005317377.tif 000007
【図６】
2005317377.tif 000008
【図７】
2005317377.tif 000009
【図８】
2005317377.tif 000010